(57)【要約】      （修正有）【課題】オートバイの座席防護カバーを提供する。【解決手段】オートバイの座席防護カバーは固定枠１、及び固定枠１に連結するカバー体２を備え、固定枠１はオートバイ座席の形状及びサイズに応じて設置し、カバー体２は異なる色及び図案に設置され概ね半円状を呈し、複数のサポート棒２１を設置し、各サポート棒２１の一端は固定枠１の中心位置に定位され、カバー体２はめくり開けられ、或いは固定枠１に蓋をでき、蓋をすると収容設置空間を形成し、固定枠１により防護カバーをオートバイ座席に固定し、オートバイを使用しない時には、カバー体２の遮蔽により日避け、雨避け、防塵の効果を構成し、収容設置空間にヘルメット等を収容でき、盗難防止の目的を達成し、及び色による区別で、多くのオートバイの中から自身のオートバイを容易に見つけることができる。【選択図】図１
0003232833.tif 000002
【実用新案登録請求の範囲】
【請求項１】
オートバイの座席防護カバーは、固定枠、及び該固定枠に連結するカバー体を備え、
該固定枠は、オートバイ座席の形状及びサイズに応じて設置し、オートバイ座席に固定され、
該カバー体は、該固定枠に沿ってめくり開けられ、或いは固定枠に蓋をし、しかも蓋をすると、収容設置空間を形成し、これによりオートバイを使用しない時には、該カバー体の遮蔽により、日避け、雨避け、防塵の効果を構成し、しかも該収容設置空間にヘルメット及び携行物品等を収容し、盗難防止の目的を達成することを特徴とするオートバイの座席防護カバー。
【請求項２】
前記固定枠は、両側の中心位置に、該固定枠に固定される軸部を設置し、
該カバー体は、複数のサポート棒を設置し、
該各サポート棒の両端は、それぞれ該軸部に定位され、
該カバー体は該軸部を支点とし、しかも該カバー体の一端は、該固定枠に固定される固定端で、反対端はめくり開けられる可動端で、
これにより、該カバー体は該可動端より該固定端へとめくり開けられ、或いは該固定端より可動端へと蓋をでき、蓋をすると、収容設置空間を形成することを特徴とする請求項１に記載のオートバイの座席防護カバー。
【請求項３】
前記カバー体は、オーダーメイドで、異なる色或いは図案に設計でき、自分のオートバイを見つけやすくできることを特徴とする請求項１に記載のオートバイの座席防護カバー。
【請求項４】
前記固定枠の軸部には、電動の伝動装置を増設でき、
該伝動装置により該軸部の回転を駆動し、こうして該カバー体の開閉をコントロールし、電動コントロールの効果を達成できることを特徴とする請求項１に記載のオートバイの座席防護カバー。
【請求項５】
前記カバー体の可動端は、ロック部材とでき、蓋をした後にカバー体をロックできることを特徴とする請求項１に記載のオートバイの座席防護カバー。
【考案の詳細な説明】
【技術分野】
【０００１】
本考案はオートバイの座席防護カバーに関し、特に日避け、雨避け、防塵の効果を構成でき、しかもヘルメットを収納して盗難防止の目的を達成でき、及び色による区別で自身のオートバイを容易に見つけることができるオートバイの座席防護カバーに関する。
【背景技術】
【０００２】
オートバイは大部分が屋外に停められている。
そのため、座席部分は雨に降られ陽に晒され、ホコリにまみれ汚れてしまう。
これでは座席シートの損壊が加速するばかりか、破壊を受けやすくなり、しかも夏は直射日光を受け高温になることで、乗車者の臀部が火傷を負うこともあり、さらには雨天時には雨に濡れてしまう。
しかも、多くの人は駐車後にヘルメットをオートバイに掛け、或いは座席上に放置するが、盗難に遭うことも多い。
さらに、同じメーカー、同じタイプのオートバイが多いため、大型駐車場では持ち主が混乱することもしばしば起きている。
よって、特殊で、しかも自分だけの目立つ色或いは図案がなければ、多くのオートバイの中から自身のオートバイを見つけることは容易ではない。
【０００３】
考案者は上記に鑑み、日避け、雨避け、防塵の効果を構成でき、しかもヘルメットを収納して盗難防止の目的を達成し、及び自身のオートバイを容易に見つけることができるオートバイの座席防護カバーを開発した。
【先行技術文献】
【特許文献】
【０００４】
【特許文献１】公開実用昭和59−60082７号公報
【特許文献２】公開実用平成2−171087号公報
【考案の概要】
【考案が解決しようとする課題】
【０００５】
本考案の目的は、オートバイの座席に対して日避け、雨避け、防塵の効果を構成でき、しかもヘルメットを収納して盗難防止の目的を達成でき、及び色による区別で自身のオートバイを容易に見つけることができるオートバイの座席防護カバーを提供することである。
【課題を解決するための手段】
【０００６】
本考案によるオートバイの座席防護カバーは、固定枠、及び該固定枠に連結するカバー体を備える。
該固定枠は、オートバイ座席の形状及びサイズに応じて設置し、該カバー体は、異なる色及び図案に設置され、概ね半円状を呈し、複数のサポート棒を設置し、該各サポート棒の一端は固定枠の中心位置に定位され、該カバー体はめくり開けられ、或いは固定枠に蓋をでき、しかも蓋をすると、収容設置空間を形成する。
これにより、固定枠により防護カバーをオートバイ座席に固定し、オートバイを使用しない時には、カバー体の遮蔽により、日避け、雨避け、防塵の効果を構成し、しかも該収容設置空間にヘルメット等を収容でき、盗難防止の目的を達成し、及び色による区別で、多くのオートバイの中から自身のオートバイを容易に見つけることができる。
【０００７】
前述のオートバイの座席防護カバーの該固定枠は、両側の中心位置に、該固定枠に固定される軸部を設置し、該各サポート棒の両端は、それぞれ該軸部に定位され、該カバー体は該軸部を支点とし、しかもカバー体中一端は、固定枠の固定端に固定され、反対端はめくり開けられる可動端である。
これにより、カバー体は可動端より固定端へとめくり開けることができ、或いは該固定端より可動端へと蓋をすることができ、蓋をすると、収容設置空間を形成する。
【０００８】
前述のオートバイの座席防護カバーの該可動端は、ロック部材とすることができ、蓋をした後にカバー体をロックすることができる。
【考案の効果】
【０００９】
本考案によるオートバイの座席防護カバーは、オートバイの座席に対して日避け、雨避け、防塵の効果を構成でき、しかもヘルメットを収納して盗難防止の目的を達成でき、及び色による区別で自身のオートバイを容易に見つけることができる。
【図面の簡単な説明】
【００１０】
【図１】本考案の立体図である。
【図２】本考案の平面図である。
【図３】本考案をオートバイに組み付けた状態図である。
【図４】本考案の使用状態図である。
【図５】本考案の別種の使用状態図である。
【考案を実施するための形態】
【００１１】
本考案の好適な実施例を図面に沿って説明する。
【実施例】
【００１２】
図１及び図２は、本考案の立体図及び平面図である。
【００１３】
図に示すように、本考案は、固定枠１、及び該固定枠１に連結するカバー体２を備え、該固定枠１は、オートバイ座席の形状及びサイズに応じて設置する。
【００１４】
前記カバー体２は、異なる色或いは図案に設置でき、概ね半円状を呈し、該カバー体２には、概ねコの字状を呈する複数のサポート棒２１を設置し、これにより該各サポート棒２１の両端は固定枠１の中心位置に定位され、これにより該カバー体２は固定枠１一端へとめくり開けることができ、或いは該端から反対端へと固定枠１に蓋をすることができ、しかも蓋をすると、収容設置空間を形成する。
【００１５】
本考案の実施例において、該固定枠１は、両側の中心位置に、該固定枠１に固定される軸部１１を設置し、該各サポート棒２１の両端は、それぞれ該軸部１１に定位され、該カバー体２は該軸部１１を支点とし、しかもカバー体２の一端は、固定枠１の固定端２２に固定され、反対端はめくり開けられる可動端２３で、これによりカバー体２は可動端２３より固定端２２へとめくり開けることができ、或いは該固定端２２より可動端２３へと蓋をすることができ、蓋をすると、収容設置空間を形成し、遮熱、排熱効果を構成する。
【００１６】
該可動端２３は、ロック部材２４で、蓋をした後にカバー体２をロックすることができる。
【００１７】
前述の構成部材の組合せにより、オートバイの座席防護カバーを構成する。
【００１８】
固定枠１により防護カバーをオートバイ座席に固定し、オートバイを使用しない時には、カバー体２の遮蔽により、日避け、雨避け、防塵の効果を構成し、しかも該収容設置空間にヘルメット等を収容でき、盗難防止の目的を達成し、及び色或いは図案の区別により、多くのオートバイの中から自身のオートバイを容易に見つけることができる。
【００１９】
図３は、本考案をオートバイに組み付けた状態図である。
【００２０】
図に示すように、本考案の組み立て時には、該固定枠１によりオートバイ３の座席３１の四周に固定し、これにより座席防護カバーは、座席３１と一体に結合される。
【００２１】
カバー体２が蓋をすると、収容設置空間を形成し、遮熱、排熱効果を構成し、こうして座席３１に対する日避け、雨避け、防塵、及び破壊防止の効果を達成する。
【００２２】
図４は、本考案の使用状態図である。
【００２３】
図１に合わせて、図に示すように、本考案を一般の乗車に使用する際には、カバー体２を可動端２３から固定端２２へとめくり開け、これによりカバー体２は該固定端２３に集中し、こうして座席３１を露出、正常に乗車することができる。
【００２４】
図５は、本考案の別種の使用状態図である。
【００２５】
図１に合わせて、図に示すように、本考案の駐車時には、ヘルメット４及び携行物品等を座席３１に置き、さらにカバー体２を該固定端２２より可動端２３へと蓋をすることができ、ロック部材２４によりロックし、盗難防止の目的を達成する。
【００２６】
本考案の実施例によるオートバイの座席防護カバーは、少なくとも以下の長所を備える。
１．日避けを構成することで、直射日光を受け高温になることによる損害と乗車者臀部の火傷を回避できる。
２．雨避けを構成することで、座席が雨に濡れることによる乗車時の衣服の濡れを回避できる。
３．防塵を構成することで、座席がホコリに汚されることによる乗車時の衣服の汚れを回避できる。
４．盗難防止を構成することで、ヘルメット及び携行物品等を防護カバー内に収容でき、盗難を回避できる。
５．オーダーメイドで、色或いは図案を組み合わせられ、自分のオートバイを見つけやすくできる他、美化の効果をも備える。
６．広告文字及び図案を表示することで広告とでき、広告効果及び美化の作用を形成できる。
【００２７】
この他、本考案は、該軸部１１に伝動装置（モーター及びコントロール回路）を増設し、手動或いはリモコン等方式で、コントロール回路により該軸部１１の回転を駆動し、こうして該カバー体２の開閉をコントロールでき、これにより防護カバーは電動コントロールの効果を達成できる。
【００２８】
上記を総合すると、本考案は開閉可能なカバー体に、カバー体に結合した固定枠を対応させ、オートバイの座席防護カバーを構成し、オートバイの座席に対して日避け、雨避け、防塵の効果を構成でき、しかもヘルメットを収納して盗難防止の目的を達成でき、及び色による区別で自身のオートバイを容易に見つけることができる。
【産業上の利用可能性】
【００２９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３０】
１  固定枠
１１  軸部
２  カバー体
２１  サポート棒
２２  固定端
２３  可動端
２４  ロック部材
３  オートバイ
３１  座席
４  ヘルメット
【図１】
0003232833.tif 000003
【図２】
0003232833.tif 000004
【図３】
0003232833.tif 000005
【図４】
0003232833.tif 000006
【図５】
0003232833.tif 000007
【手続補正書】
【提出日】令和3年5月10日(2021.5.10)
【手続補正１】
【補正対象書類名】実用新案登録請求の範囲
【補正対象項目名】全文
【補正方法】変更
【補正の内容】
【実用新案登録請求の範囲】
【請求項１】
オートバイの座席防護カバーは、固定枠、及び該固定枠に連結するカバー体を備え、
該固定枠は、オートバイ座席の形状及びサイズに応じて設置し、オートバイ座席に固定され、
該カバー体は、該固定枠に沿ってめくり開けられ、或いは固定枠に蓋をし、しかも蓋をすると、収容設置空間を形成し、これによりオートバイを使用しない時には、該カバー体の遮蔽により、日避け、雨避け、防塵の効果を構成し、しかも該収容設置空間にヘルメット及び携行物品等を収容し、盗難防止の目的を達成することを特徴とするオートバイの座席防護カバー。
【請求項２】
前記固定枠は、両側の中心位置に、該固定枠に固定される軸部を設置し、
該カバー体は、複数のサポート棒を設置し、
該各サポート棒の両端は、それぞれ該軸部に定位され、
該カバー体は該軸部を支点とし、しかも該カバー体の一端は、該固定枠に固定される固定端で、反対端はめくり開けられる可動端で、
これにより、該カバー体は該可動端より該固定端へとめくり開けられ、或いは該固定端より可動端へと蓋をでき、蓋をすると、収容設置空間を形成することを特徴とする請求項１に記載のオートバイの座席防護カバー。
【請求項３】
前記カバー体は、オーダーメイドで、異なる色或いは図案に設計でき、自分のオートバイを見つけやすくできることを特徴とする請求項１に記載のオートバイの座席防護カバー。
【請求項４】
固定枠の前記軸部には、電動の伝動装置を増設でき、
該伝動装置により該軸部の回転を駆動し、こうして該カバー体の開閉をコントロールし、電動コントロールの効果を達成できることを特徴とする請求項２に記載のオートバイの座席防護カバー。
【請求項５】
前記カバー体の前記可動端は、ロック部材とでき、蓋をした後にカバー体をロックできることを特徴とする請求項２に記載のオートバイの座席防護カバー。